(57)【特許請求の範囲】
【請求項１】
奈落床上を転動する複数のキャスターに支承される基台と、この基台に対峙する状態に立設される一対のガイドポストと、このガイドポストの上方側および下方側に枢支されたスプロケットを巻装して、駆動手段で上下方向に移動するチェーンと、このチェーンに連繋しながら上記ガイドポストに介装される連結手段の介在下にチェーンの移動でガイドポストに副って昇降する昇降床とを有してなる小迫り装置において、
上記基台が上方に折り曲げられた態様となる四隅部の下方に上記キャスターを配在させてなると共に、
上記昇降床が上記チェーンに連繋される下方床と上記チェーンに連繋されずして上記下方床の上方に適宜の隙間を有して重ねられる上方床とからなる二重床構造に形成されながら、上記下方床と上記上方床との間に上記上方床における傾斜状態を調整し得る調整手段を有してなり、
上記ガイドポストにおける上端が舞台床の開口に固定状態に嵌装される回廊形の調整枠における下面に、分離可能に連設されてなることを特徴とする小迫り装置。
【請求項２】
奈落床上を転動する複数のキャスターに支承される基台と、この基台に対峙する状態に立設される一対のガイドポストと、このガイドポストの上方側および下方側に枢支されたスプロケットを巻装して、駆動手段で上下方向に移動するチェーンと、このチェーンに連繋しながら上記ガイドポストに介装される連結手段の介在下にチェーンの移動でガイドポストに副って昇降する昇降床とを有してなる小迫り装置において、
上記基台が上方に折り曲げられた態様となる四隅部の下方に上記キャスターを配在させてなると共に、
上記昇降床が上記チェーンに連繋される下方床と上記チェーンに連繋されずして上記下方床の上方に適宜の隙間を有して重ねられる上方床とからなる二重床構造に形成されながら、上記下方床と上記上方床との間に上記上方床における傾斜状態を調整し得る調整手段を有してなり、
上記昇降床における上方床が舞台床の開口に嵌装される回廊形の調整枠を分離可能に有してなることを特徴とする小迫り装置。
【請求項３】
上記ガイドポストが基台に対して分離可能に連設されてなる請求項１または請求項２に記載の小迫り装置。
【発明の詳細な説明】
【０００１】
【発明の属する技術分野】
この発明は、小迫り装置に関し、特に、奈落で移動可能とされる小迫り装置の改良に関する。
【０００２】
【従来技術とその問題点】
劇場などの舞台床の下方となる奈落に設置される迫り装置の中には、多数人の立ち入りを許容する面積の大きい昇降床を備える大迫り装置の他に、一人二人の立ち入りを許容する程度に面積の小さい昇降床を備える小迫り装置がある。
【０００３】
そして、この大迫り装置および小迫り装置は、従来から、奈落に固定状態に配設されるとしていたが、近年では、小迫り装置が奈落に移動可能に配設されることがある。
【０００４】
すなわち、小迫り装置と称されるものには、昇降床の面積が畳二枚分あるいは畳一枚分のものや、半畳分しかないものがある他に、時には、奈落から舞台床迄の高さが区々となることなどがあって、数からすれば、単一となる大迫り装置に対して複数の小迫り装置が奈落に配設されることになる。
【０００５】
このとき、奈落は、大迫り装置を配設していることからしても、言わば狭い空間になる傾向があり、したがって、この狭い空間に複数の小迫り装置を配設することは、奈落をより一層狭くする不具合を招くことになり、また、複数の小迫り装置を稼動させることから経費的にも不利になるとされていた。
【０００６】
そこで、小迫り装置を移動可能にして使い回すことにし、そのために移動可能に構成される小迫り装置について、これまでに種々の提案がなされているが、言わば一長一短があって、汎用性を期待するのに最適となるものがなかった。
【０００７】
この発明は、上記した事情を鑑みて創案されたものであって、その目的とするところは、使い回しを可能にしながら所定の迫り機能を発揮し得る小迫り装置を提供することである。
【０００８】
【課題を解決するための手段】
上記した目的を達成するのために、この発明の一の手段にあっては、奈落床上を転動する複数のキャスターに支承される基台と、この基台に対峙する状態に立設される一対のガイドポストと、このガイドポストの上方側および下方側に枢支されたスプロケットを巻装して、駆動手段で上下方向に移動するチェーンと、このチェーンに連繋しながら上記ガイドポストに介装される連結手段の介在下にチェーンの移動でガイドポストに副って昇降する昇降床とを有してなる小迫り装置において、上記基台が上方に折り曲げられた態様となる四隅部の下方に上記キャスターを配在させてなると共に、上記昇降床が上記チェーンに連繋される下方床と上記チェーンに連繋されずして上記下方床の上方に適宜の隙間を有して重ねられる上方床とからなる二重床構造に形成されながら、上記下方床と上記上方床との間に上記上方床における傾斜状態を調整し得る調整手段を有してなり、上記ガイドポストにおける上端が舞台床の開口に固定状態に嵌装される回廊形の調整枠における下面に、分離可能に連設されてなるとする。
【０００９】
そして、この発明の他の手段にあっては、奈落床上を転動する複数のキャスターに支承される基台と、この基台に対峙する状態に立設される一対のガイドポストと、このガイドポストの上方側および下方側に枢支されたスプロケットを巻装して、駆動手段で上下方向に移動するチェーンと、このチェーンに連繋しながら上記ガイドポストに介装される連結手段の介在下にチェーンの移動でガイドポストに副って昇降する昇降床とを有してなる小迫り装置において、上記基台が上方に折り曲げられた態様となる四隅部の下方に上記キャスターを配在させてなると共に、上記昇降床が上記チェーンに連繋される下方床と上記チェーンに連繋されずして上記下方床の上方に適宜の隙間を有して重ねられる上方床とからなる二重床構造に形成されながら、上記下方床と上記上方床との間に上記上方床における傾斜状態を調整し得る調整手段を有してなり、上記昇降床における上方床が舞台床の開口に嵌装される回廊形の調整枠を分離可能に有してなるとする。
【００１０】
【発明の実施の形態】
以下に、図示した実施形態に基づいて、この発明を説明するが、図１および図２に示すように、この発明による小迫り装置にあっても、舞台床Ｓ下の奈落に配置されて舞台床Ｓに形成されている開口Ｓ１を開閉するように形成されている。
【００１１】
そして、この小迫り装置は、奈落床Ｇ上を転動する複数のキャスター１に支承される基台２と、この基台２に対峙する状態に立設される一対のガイドポスト３と、このガイドポスト３の上方側および下方側に枢支されたスプロケット４，５（図１参照）に巻装されて適宜の駆動手段６（図２参照）で上下方向に移動するチェーン７と、このチェーン７に連繋しながらガイドポスト３に介装される連結手段８の介在下にチェーン７の移動でガイドポスト３に副って昇降可能とされる昇降床９（図２参照）とを有してなる。
【００１２】
すなわち、まず、キャスター１は、家庭の家具などに利用されるものに比較して、大重量に対する十分な機械的強度を有するように形成されてなるとするもので、たとえば、図２に示すように、ダブル車輪の形態に形成されるなどしている。
【００１３】
また、このキャスター１は、図示しないが、ブレーキ機構を有していて、このブレーキ機構の作動で基台２、すなわち、小迫り装置を所定位置に固定状態に停止させることを可能にしている。
【００１４】
そして、このキャスター１は、およそこの種のキャスターが多くの場合にそうであるように、基台２の四隅部２ａに保持されてなるとしており、このとき、この基台２にあっては、これがキャスター１を保持することで、言わば全体に持ち上げられた状態にならないように配慮されている。
【００１５】
すなわち、基台２にあって、四隅部２ａを除く中央部２ｂは、その下面が奈落床Ｇに接触はしないが極めて近隣する程に低く位置決められるとしており、この状態で、四隅部２ａが上方に折り曲げられた態様を呈するとし、この持ち上げられたようになる四隅部２ａの下方に出現する空間にキャスター１を配在させるとしている。
【００１６】
それゆえ、この基台２にあっては、所定の機械的強度を備えることになる大型のキャスター１を四隅部２ａに有することになっても、この基台２における全体的な高さを低く抑えることが可能になり、したがって、後述する昇降床９が最下降した際の高さを低くすることが可能になる。
【００１７】
ちなみに、この基台２は、所定の機械的強度を有しながら軽量化を図る上からは、多くの場合に、たとえば、アルミ合金などからなるフレーム構造に形成されるであろう。
【００１８】
また、図示するところでは、この基台２には、この小迫り装置を利用する者がより使い易すくなるようにするために、手摺２ｃおよびステップ２ｄが付設されてなるとしている。
【００１９】
なお、このとき、手摺２ｃは、この小迫り装置において、これを人力で移動操作するときの操作部を兼ねるとしているが、この操作部については、手摺２ｃの他に別に基台２に設けるとしても良いことはもちろんである。
【００２０】
その結果、この基台２にあっては、キャスター１を有して移動可能とされるから、小迫り装置を所望の位置に移動することが可能にし、したがって、小迫り装置の使い回しを可能にするのはもちろんのこと、不使用時に小迫り装置を奈落の隅部などにいわゆる片づけるこが可能になる。
【００２１】
ガイドポスト３は、これが二対とされることでこの小迫り装置における重量がいたずらに大きくなることを回避する上から、一対とされているが、その立設場所にもよるであろうが、昇降床９上への人の立ち入りを阻害しないようにするためにも一対とされている。
【００２２】
ちなみに、このガイドポスト３は、この実施形態にあっては、詳しくは図示しないが、基台２に対して分離可能に連設されてなるとしており、奈落における舞台床Ｓまでの高さが区々となるときに、これに相応する長さのガイドポスト３を選択して使用し得るように配慮している。
【００２３】
そして、このガイドポスト３は、後述する連結手段８をこのガイドポスト３に副って昇降させるとしていることから、矩形の断面を有しながらその軽量化を可能にするように、角筒状体からなるとしている。
【００２４】
そしてまた、この角筒状体は、多くの場合に、前記した基台２と同様に、たとえば、アルミ合金などで形成されるであろう。
【００２５】
スプロケット４，５は、上記のガイドポスト３の上端部および下端部に枢支されているもので、後述するチェーン７を巻装させており、このとき、図示するところでは、下方のスプロケット５が後述する駆動手段６に連繋された駆動側に設定され、上方のスプロケット４が駆動手段６に連繋されない従動側に設定されている。
【００２６】
ちなみに、昇降床９を上昇させるためにチェーン７を引き上げる観点からすれば、上方のスプロケット４が駆動側に設定される方が力学的にも好ましいと言い得るが、駆動手段６の配在場所について考慮するならば、図示するように、下方のスプロケット５が駆動側に設定されされる方が好ましいと言い得る。
【００２７】
駆動手段６は、上記の下方のスプロケット５を駆動するもので、この実施形態では、詳しくは図示しないが、基台２の中央部に配在された電動モータ６１と、この電動モータ６１に連繋する減速器６２と、この減速器６２に連繋する出力軸６３とを有してなり、この出力軸６３を介して下方のスプロケット５が駆動されるとしている。
【００２８】
ちなみに、この駆動手段６にあって、下方のスプロケット５をいわゆる正逆の両方向に回動し得るように設定するのにあって、電動モータ６１が両方向モータに設定されてなるとしても良く、また、減速器６２が出力軸の回転方向を変更し得るように設定されてなるとしても良い。
【００２９】
また、この駆動手段６は、この実施形態では、詳しくは図示しないが、遠隔操作で駆動制御されるように設定されてなるとし、昇降床９に立ち入る人、すなわち、役者などが操作することを要しないように配慮しているが、これに代えて、同じく図示しないが、昇降する昇降床９に干渉しない部位に操作盤が配在されてなるとしても良いことはもちろんである。
【００３０】
なお、この種の小迫り装置における昇降床の昇降について、人力によることが多い旧来の事情を鑑みれば、この発明による小迫り装置にあっても、駆動手段６における駆動源が人力とされても良いことはもちろんである。
【００３１】
そして、この場合には、人力操作でチェーン７が巻装されている下方のスプロケット５を駆動するように構成されるであろう。
【００３２】
チェーン７は、前記したスプロケット４，５に巻装された状態で昇降床９に連繋されてなるとするもので、いわゆる無限帯構造に形成されているが、図示しないリミッターの作動で所定の位置で停止するとしている。
【００３３】
すなわち、図中に実線図で示すように、昇降床９が最下降している位置と、図中に仮想線図で示すように、昇降床９が最上昇している位置とでそれぞれその移動が停止されるように設定されている。
【００３４】
ちなみに、図示するところでは、チェーン７の下半側がガイドポスト３に連設されたカバー３ａ内に収装されてなるとしているが、このカバー３ａ内への収装にあって、昇降床９を昇降するためのチェーン７の移動が阻害されないように配慮されていることはもちろんである。
【００３５】
なお、このチェーン７は、ガイドポスト３が一対とされることから両方のガイドポスト３に配在されていることはもちろんであり、また、前記した駆動機構６で両方が同期して移動されることももちろんである。
【００３６】
連結手段８は、図３および図４に示すように、チェーン７を昇降床９に連結すると共に、昇降床９がガイドポスト３に対して安定した状態で連繋されるようにするために配在されているものである。
【００３７】
そのため、まず、図示するところでは、チェーン７にブラケット８１が連結され、このブラケット８１が昇降床９に連結されるとしており、このとき、ブラケット８１自体が所定の機械的強度を有していて、容易に変形などしないように形成されるとしている。
【００３８】
つぎに、昇降床９に連設されたブラケット８２，８３にそれぞれ保持された上下のローラー８２ａ，８２ｂおよび８３ａ，８３ｂが互いに対向しながらガイドポスト３を挟持する態勢におかれるとしている。
【００３９】
また、昇降床９に連設されたブラケット８４も、そこに保持されたローラー８４ａ，８４ｂをガイドポスト３に当接させているが、このとき、このローラー８４ａ，８４ｂは、ガイドポスト３を挟んでチェーン７を巻装させる上方のスプロケット４に対向するように位置決められている。
【００４０】
このとき、ブラケット８２，８３，８４は、上記したブラケット８１と同様に所定の機械的強度を有していて、容易に変形などしないように形成されているのはもちろんである。
【００４１】
また、図示するところでは、一方のブラケット８３に上記のブラケット８１が一体に連結されており、したがって、チェーン７と昇降床９の間はブラケット８１，８３で一体的に連結されていることになる。
【００４２】
ちなみに、この連結手段８は、ガイドポスト３が一対とされ、また、チェーン７が各ガイドポスト３に配在されていることから、いわゆる両方で具現化されていることはもちろんである。
【００４３】
その結果、この連結手段８によれば、チェーン７に昇降床９を連結させてチェーン７の移動で昇降床９がガイドポスト３に副って昇降し得るようにするのはもちろんであるが、このとき、昇降床９がガイドポスト３に対して、水平方向の上下左右に揺れることを未然に阻止していることになる。
【００４４】
以上からすれば、この連結手段８は、結果として、不必要な揺れを阻止しながら昇降床９をチェーン７に連繋しながらガイドポスト３に副って昇降可能とすれば足りるから、上記のようにして昇降床９がチェーン７に連結される一方で、たとえば、図示しないが、角筒状に形成されたガイドポスト３の内部に収装されたローラーが昇降床９に保持されてなるとするなど、任意の構成を選択できるのはもちろんである。
【００４５】
昇降床９は、前記したブラケット８１を介してであるが、チェーン７に連繋される下方床９１とこの下方床９１の上方に適宜の隙間を有して重ねられる上方床９２とからなる二重床構造に形成されながら下方床９１と上方床９２との間に上方床９２における傾斜状態を調整し得る調整手段１０（図１および図２参照）を有してなるとする。
【００４６】
このように、昇降床９が二重床構造に形成されてなるとするのは、奈落床Ｇおよび舞台床Ｓが必ずしも水平状態に形成されていないことがあることに基づくからであり、したがって、奈落床Ｇおよび舞台床Ｓが水平状態に形成されている限りにおいては、調整手段１０による調整を要しないだけである。
【００４７】
ちなみに、この調整手段１０については、任意の構成を選択でき、詳しくは図示しないが、この実施形態では、ターンバックル構造に形成されていて、いわゆる四隅部に配在されてなるとしており、適宜の工具を利用しての回動操作で上方床９２が下方床９１に対して昇降するとしている。
【００４８】
以上のように形成されたこの発明による小迫り装置にあっては、基台２がキャスター１を有するから、この基台２を、すなわち、小迫り装置を奈落床Ｇ上で所望の位置に移動し得ることになる。
【００４９】
このとき、基台２が可能な限りに軽量に形成されていることで、人力操作で簡単に基台２を、すなわち、小迫り装置を移動でき、たとえば、この小迫り装置をスッポン迫りとして利用する際の移動を可能にしたり、また、不使用時に奈落の隅部などにいわゆる片づけることを可能にすることなる。
【００５０】
そして、この小迫り装置を利用する際には、舞台床Ｓに形成の開口Ｓ１の下方にこの小迫り装置を移動して位置決め、キャスター１の回動を阻止した状態で昇降床９を上昇すれば足りることになる。
【００５１】
このとき、この発明にあっては、ガイドポスト３が昇降床９を昇降させるときのいわゆるガイドになるばかりでなく、駆動手段で移動するチェーン７の介装手段ともなるので、昇降床９を昇降させるためだけのポスト類を有すると共にチェーン７を介装させるためだけのポスト類をも有する場合に比較して、部材点数の削減が可能になり、装置全体の重量の低減化にも寄与することになる。
【００５２】
ちなみに、この小迫り装置を使用しないために、舞台床Ｓにそのまま残される開口Ｓ１は、図示しないが、たとえば、専用の蓋体などで舞台床Ｓ上側から塞がれることになる。
【００５３】
ところで、前記したところからすれば、この小迫り装置にあっては、言わば定形の昇降床９を有することになり、したがって、昇降床９の設定如何では、すなわち、昇降床９の床面積の大きさ如何で、その使い回しを実行できないことになる危惧がある。
【００５４】
すなわち、昇降床９の大きさをスッポン迫り向きとする場合には、それより床面積が大きくなる小迫りには利用できないことになる。
【００５５】
そこで、この発明にあっては、一つの解決手段として、昇降床９を構成する上方床９２が舞台床Ｓに形成の開口Ｓ１嵌装される調整枠９３を分離可能に有してなるとするものである。
【００５６】
ちなみに、この調整枠９３は、平面形状をロ字状とする回廊形に形成されてなるとしており、図示しないが、適宜の連結具で上方床９２に連結保持されてなるとしている。
【００５７】
それゆえ、以上のように形成された小迫り装置にあっては、昇降床９における上方床９２に調整床９３を連結し、この状態で前記したところと同様の操作をして昇降床９を上昇させれば足りる。
【００５８】
ところで、この調整枠９３の機能するところからすれば、これが舞台床Ｓに形成の開口Ｓ１に固定状態に嵌装されてなるとしても良く、この場合には、一対のガイドポスト３における上端を調整枠９３における下面に分離可能に連結することが可能になる。
【００５９】
その結果、ガイドポスト３の上端が舞台床Ｓに連結されるのと同様になり、したがって、ガイドポスト３における上端のフラツキが阻止され、このガイドポスト３に副う昇降床９の昇降をより安定させ易くなる。
【００６０】
ちなみに、調整床９３を舞台床Ｓの開口Ｓ１に嵌装する場合には、この調整床９３が上方床９２から分離されるから、その限りでは、別の調整枠９３を上方床９２に新たに連結することで、この小迫り装置をスッポン迫りだけでなくそれよりやや大きい小迫りにも使い回すことが可能になる。
【００６１】
なお、ガイドポスト３の上端を舞台床Ｓの開口Ｓ１に嵌装された調整枠９３の下面に分離可能に連結するについては、自由な構成を採用できるのはもちろんであるが、図示しないが、たとえば、調整枠９３の下面に下向きのピンを突設する一方で、ガイドポスト３の上端にこのピンが挿通する穴類を設けるとする場合には、いたずらなコストの上昇を招くことなく、所望の連結構造を具現化できることになる。
【００６２】
前記したところでは、この小迫り装置が人力で移動可能とされていたが、この発明の意図するところからすれば、たとえば、電気を利用した動力で移動可能なように構成されるとしても良いことはもちろんである。
【００６３】
【発明の効果】
以上のように、この発明にあっては、基台がキャスターを有するから、これを奈落床上で所望の位置に移動し得ることになり、したがって、この小迫り装置を利用する際や、不使用時の片づけの際における移動を可能にし、このとき、基台が可能な限りに軽量に形成されていることで、人力操作で簡単に小迫り装置を移動できることになる。
【００６４】
そして、基台にあって、四隅部を除く中央部は、その下面が奈落床に接触はしないが極めて近隣する程に低く位置決められるとする一方で、四隅部が上方に折り曲げられた態様を呈するとし、この持ち上げられたようになる四隅部の下方に出現する空間にキャスターを配在させるとするから、所定の機械的強度を備えることになる大型のキャスターを四隅部に有することになっても、この基台における全体的な高さを低く抑えることが可能になり、したがって、昇降床が最下降した際の高さを低くすることが可能になる。
【００６５】
また、この発明にあっては、昇降床がチェーンに連繋される下方床と上方床を有する二重床構造に形成されながら下方床と上方床との間に上方床における水平に対する傾斜状態を調整し得る調整手段を有してなるとするから、奈落床および舞台床が必ずしも水平状態に形成されていないことがあっても、上方床を舞台床に形成の開口に段差を設けることなく嵌装し得ることになる。
【００６６】
そして、この発明にあっては、ガイドポストが基台に対して分離可能に連設されてなることで、奈落における舞台床までの高さが区々となるときに、これに相応する長さのガイドポストを選択して対応し得ることになる。
【００６７】
このとき、ガイドポストは、昇降床を昇降させるときのいわゆるガイドになるばかりでなく、駆動手段で移動するチェーンの介装手段ともなるので、昇降床を昇降させるためだけのポスト類を有すると共にチェーンを介装させるためだけのポスト類をも有する場合に比較して、部材点数の削減が可能になり、装置全体の重量の低減化にも寄与することになる。
【００６８】
そして、この発明にあって、昇降床を構成する上方床が調整枠を分離可能に有することで、この昇降床を比較すれば床面積の小さいスッポン迫り向きに設定するとしても、調整床を連結することで、比較すればスッポン迫りよりも床面積が大きくなる小迫りにも利用できることになる。
【００６９】
また、この調整枠が舞台床に形成の開口に固定状態に嵌装されるとき、この調整枠の下面にガイドポストの上端が分離可能に連結されることで、ガイドポストの上端におけるフラツキが阻止され、このガイドポストに副う昇降床の昇降がより安定され易くなる。
【００７０】
そして、この場合には、この小迫り装置において、別の調整枠を連結することが可能になり、したがって、この小迫り装置をスッポン迫りだけでなくそれよりやや大きい小迫りにも使い回すことが可能になる。
【００７１】
その結果、この発明によれば、使い回しを可能にしながら所定の迫り機能を発揮し得て、その汎用性の向上を期待するのに最適となる利点がある。
【図面の簡単な説明】
【図１】  この発明の一実施形態による小迫り装置を示す正面図である。
【図２】  同じく側面図である。
【図３】  連結手段を拡大して示す図である。
【図４】  図３の連結手段を示す平面図である。
【符号の説明】
１  キャスター
２  基台
２ａ  四隅部
２ｂ  中央部
３  ガイドポスト
３ａ  カバー
４，５  スプロケット
６  駆動手段
７  チェーン
８  連結手段
９  昇降床
１０  調整手段
６１  モータ
６２  減速器
６３  出力軸
８１，８２，８３，８４  ブラケット
８２ａ，８３ａ，８４ａ  ローラー
９１  下方床
９２  上方床
９３  調整枠
Ｇ 奈落床
Ｓ 舞台床
Ｓ１ 開口
【図１】
0004697831.tif 000002
【図２】
0004697831.tif 000003
【図３】
0004697831.tif 000004
【図４】
0004697831.tif 000005